(57)【特許請求の範囲】
【請求項１】
一端に凸部を有する第１筐体と、
一端に前記凸部が嵌入される凹部を有すると共に、スピーカーを内蔵した第２筐体と、
を有し、
前記凸部を前記凹部内に回動可能に連結することにより前記第１筐体と前記第２筐体とを開閉可能に構成した携帯端末装置であって、
前記凸部は、閉状態で前記第２筐体と重なり合う方向に突出して配設され、
前記凹部は、前記凸部に対向する壁部に、前記スピーカーからの音を放音する第１の放音口が形成され、
前記凸部と前記凹部の前記壁部との間に、前記第１の放音口に連通して、前記閉状態での前記第１筐体と前記第２筐体とが重なり合う方向に延びる空間が形成される
ことを特徴とする携帯端末装置。
【請求項２】
前記第１筐体と前記第２筐体との一方は、前記閉状態で前記第１筐体と前記第２筐体との他方に対向する対向面に操作部を有し、
前記第１筐体と前記第２筐体との他方は、前記閉状態で前記第１筐体と前記第２筐体との一方に対向する対向面に表示部を有し、
前記空間は、前記第１筐体と前記第２筐体とが開状態であるときに、前記操作部と前記表示部とが配置される前記対向面側に向かって延びるように形成される
ことを特徴とする請求項１に記載の携帯端末装置。
【請求項３】
開状態であるときに前記第１筐体と前記第２筐体とが互いに当接して回動を規制するストッパ部を有し、
前記ストッパ部は、前記開状態であるときに、前記第２筐体の前記第１筐体と対向する対向面とは反対の背面側で前記第１筐体と前記第２筐体とが当接する構成であって、
前記空間は、前記開状態のときに前記ストッパ部としての前記第１筐体と前記第２筐体との当接により、前記第２筐体の前記背面側が閉塞される
ことを特徴とする請求項２に記載の携帯端末装置。
【請求項４】
前記凸部の頂面は、前記閉状態において前記第２筐体の前記第１筐体と対向する対向面とは反対側の背面を含む平面よりも内側にある
ことを特徴とする請求項１乃至３のいずれか１項に記載の携帯端末装置。
【請求項５】
前記閉状態で互いに対向する前記第１筐体と前記第２筐体との間に、前記空間の前記第２筐体の対向面側を閉塞する閉塞部材を備える
請求項１乃至４のいずれか１項に記載の携帯端末装置。
【請求項６】
前記第２筐体内には前記スピーカーからの音を前記第１の放音口へ導くための導音空間を有すると共に、前記スピーカーの放音面が前記第２筐体のうち前記第１筐体との対向面と反対側の面を向くように前記スピーカーを前記第２筐体内に配置してある
ことを特徴とする請求項１乃至５のいずれか１項に記載の携帯端末装置。
【請求項７】
前記第２筐体のうち前記第１筐体との対向面と反対側の面に前記導音空間と連通する第２の放音口を有する
ことを特徴とする請求項６に記載の携帯端末装置。
【発明の詳細な説明】
【技術分野】
【０００１】
本発明は、携帯電話機、無線機能を有するＰＤＡやデジタルカメラ等の携帯端末装置に関する。
【背景技術】
【０００２】
従来、携帯電話機、無線機能を有するＰＤＡやデジタルカメラ等の携帯端末装置では、折り畳み式のものが主流となっている。この種の携帯端末装置は、折り畳むことでコンパクトにできるため、持ち運びに有利であり、また、開くことで十分な大きさを確保できると共に、携帯電話機においてはスピーカーとマイクをそれぞれ使用者の耳元と口元に近づけることができるようになっている。
【０００３】
ところで、携帯端末装置は着信を知らせたり、誤操作を知らせるための報知用スピーカーを有しており、折り畳み式のように、閉状態で２つの筐体を重ね合せ可能なものにおいては、閉状態において報知音を外方へ放音できるように、通常、閉状態において互いに対向する筐体の対向面と反対側の面（背面）に報知用スピーカーの放音口が設けられている（特許文献１）。
【特許文献１】特開２００４−２５４０２６号公報
【発明の開示】
【発明が解決しようとする課題】
【０００４】
しかし、携帯端末装置の開状態においては、背面側の放音口から放音されると、使用者とは反対側に放音されることになるから、使用者への音の伝達効率が低くなる。このため、使用者にとって十分な音量を確保するためには、スピーカーの出力を大きくする必要があり、スピーカーやアンプの大型化、電力消費の増大等を招くことになる。
【０００５】
本発明の目的は、閉状態及び開状態の双方において効率的に放音できる重ね合せ型の携帯端末装置を提供することにある。
【課題を解決するための手段】
【０００６】
本発明の携帯端末装置は、一端に凸部を有する第１筐体と、一端に前記凸部が嵌入される凹部を有すると共に、スピーカーを内蔵した第２筐体とを有し、前記凸部を前記凹部内に回動可能に連結することにより前記第１筐体と前記第２筐体とを開閉可能に構成した携帯端末装置であって、前記凸部と前記凹部との間には空間を有すると共に、前記空間を形成する凹部壁面に、前記スピーカーからの音を放音する第１の放音口を形成してなり、前記第１筐体及び／又は前記第２筐体には携帯端末装置の開状態において互いに当接して回動を規制すると共に、前記空間の一方端を略閉塞するストッパ部を具備する。
【０００７】
好適には、前記第１筐体のうち前記第２筐体との対向面には操作部を有すると共に、前記第２筐体のうち前記第１筐体との対向面には表示部を有する。
【０００８】
好適には、前記第２筐体内には前記スピーカーからの音を前記第１の放音口へ導くための導音空間を有すると共に、前記スピーカーの放音面が前記第２筐体のうち前記第１筐体との対向面と反対側の面を向くように前記スピーカーを前記第２筐体内に配置してある。
【０００９】
好適には、前記第２筐体のうち前記第１筐体との対向面と反対側の面に前記導音空間と連通する第２の放音口を有する。
【発明の効果】
【００１０】
本発明によれば、閉状態及び開状態の双方において効率的に放音できる。
【発明を実施するための最良の形態】
【００１１】
（第１の実施形態）
図１及び図２は、本発明の第１の実施形態に係る携帯電話機１を示す外観斜視図である。携帯電話機１はいわゆる折り畳み式の携帯電話機として構成されており、図１は開状態を、図２（ａ）及び図２（ｂ）は閉状態をそれぞれ示している。
【００１２】
携帯電話機１は、受話筐体（第１筐体）２と、送話筐体（第２筐体）３とを備えている。受話筐体２及び送話筐体３は、それぞれの端部が連結部４により連結されており、携帯電話機１は、連結部４側を回動の中心として開閉可能である。受話筐体２及び送話筐体３は、それぞれ概ね薄型直方体に形成されており、閉状態では互いに重ね合わされ、一方の筐体側から他方の筐体側を見たときに互いの輪郭が略一致するようになっている。
【００１３】
受話筐体２は、閉状態で送話筐体３に対向する側の対向面側ケース６と、その背面側の背面側ケース７とを備えている。対向面側ケース６及び背面側ケース７は、例えば樹脂によりそれぞれ成形されている。受話筐体２には、対向面に画像を表示するメイン表示部１１と、背面に画像を表示するサブ表示部１２とが設けられている。メイン表示部１１及びサブ表示部１２は、例えば液晶表示ディスプレイによって構成されている。なお、受話筐体２には、この他、通話用のスピーカー４１（図８参照）が設けられ、当該スピーカーの放音口１７が対向面側ケース６に設けられている。
【００１４】
送話筐体３は、閉状態で受話筐体２に対向する側の対向面側ケース８と、その背面側の背面側ケース９と、背面側ケース９の背面側に被せられる蓋体１０とを備えている。対向面側ケース８、背面側ケース９及び蓋体１０は、例えば樹脂によりそれぞれ成形されている。送話筐体３には、ユーザの操作を受け付ける操作部１３、アンテナ３８（図８参照）、ＩＣチップや電子部品を実装した回路基板（不図示）、バッテリー２６（図４参照）、通話用マイクロフォン４０（図８参照）、報知用スピーカー２５（図３参照）が設けられている。操作部１３には、例えばテンキーボタン１４ａやカーソルキー１４ｂ等の各種ボタンが配置されており、対向面側ケース８より露出するようになっている。送話筐体３の対向面には通話用のマイクロフォン４０の集音口１５が開口し、送話筐体３の背面には報知用スピーカー２５の放音口（第２の放音口）１６が開口している。なお、第２の放音口は省略してもよい。
【００１５】
図３は、開状態の携帯電話機１の連結部４付近を一部破断して示す斜視図である。連結部４は、受話筐体２の一端から突出した凸部１８が送話筐体３の一端に設けられた凹部１９に嵌入されるとともに、軸部材２０が凹部１９の壁部及び凸部１８に挿通されて構成されている。軸部材２０は、凹部１９の壁部及び凸部１８のうち少なくとも一方に対して軸支されており、受話筐体２及び送話筐体３は軸部材２０を回転軸として互いに回転可能である。
【００１６】
凸部１８は、回転軸周りの半円筒状に概ね形成されている。凸部１８の回転軸周りの外周面１８ａと凹部１９の回転軸に平行な壁面１９ａとの間には空間を形成する隙間があり、凸部１８の凹部１９に対する回転は許容されている。一方、凸部１８の回転軸に直交する端面１８ｂと凹部１９の凸部１８を挟み込む壁面１９ｂとの間にはほとんど隙間がない構成となっている。
【００１７】
送話筐体３内の凹部１９側近傍には、報知用スピーカー２５が設けられている。報知用スピーカー２５は、着信を使用者に報知したり、誤操作を使用者に報知する際に報知音を放音するためのものである。また、報知用スピーカー２５は他の用途にも種々利用される。例えば、携帯電話機１をユーザの耳元に近づけずに通話を行う、いわゆるハンズフリー機能を利用する場合に、受話用のスピーカーとして機能する。携帯電話機１のムービー再生機能を利用する場合に、再生される音声を出力するスピーカーとして機能する。
【００１８】
報知用スピーカー２５は、例えば略円盤状に構成されており、円盤の一方の面に電極部２５ａを、他方の面に放音面２５ｂ（図４参照）を有し、放音面２５ｂを送話筐体３の背面側（図３の紙面下方）にして配置されている。報知用スピーカー２５は、電極部２５ａに入力された電流に応じて放音面２５ｂ側に配置されたコーン紙（振動板）を振動させて音声を出力する。
【００１９】
図４は、送話筐体３の一部を示す断面図（図５のＩＶ−ＩＶ線矢視方向）である。なお、紙面上方は送話筐体３の背面側である。報知用スピーカー２５は、背面側ケース９の筐体内部側（紙面下方）に配置されている。背面側ケース９の背面側には、携帯電話機１の電源としてのバッテリー２６が配置されている。報知用スピーカー２５及びバッテリー２６は蓋体１０により覆われている。
【００２０】
図５は、送話筐体３の背面側ケース９を送話筐体３の背面側から見た斜視図である。背面側ケース９は、全体として、筐体内部側を凹とする箱状に概ね形成されており、背面側ケース９と対向面側ケース８とを合体させると、その間には空間が形成される。当該空間には例えば高周波回路等が設けられた不図示の回路基板が配置される。
【００２１】
図２に示すように、対向面側ケース８と背面側ケース９は、互いに同等の広さに形成されている。蓋体１０は、背面側ケース９に被せられ、送話筐体３の略背面全体を構成している。具体的には、蓋体１０は、背面全体のうち、連結部４とは反対側の端部から凹部１９に至るまでの範囲を形成し、凸部１８を挟み込む凸部９ａの背面のみが背面側ケース９により構成されている。なお、図５にも示すように、背面側ケース９は、凸部９ａを残して背面を切り欠いたように形成されており、蓋体１０が背面側ケース９に被せられると、図２及び図４に示すように、凸部９ａの背面と蓋体１０の背面とは連続する。
【００２２】
図４及び図５に示すように、背面側ケース９には、報知用スピーカー２５を保持する保持部９ｂが設けられている。具体的には、背面側ケース９の凹部１９側の部分に、背面側を凹とする凹部９ｃが設けられており、保持部９ｂは、凹部９ｃの底部から背面側に突出するように形成されている。保持部９ｂは、背面側ケース９の筐体内部側を凹とする略円筒状に形成され、壁部９ｄ及び端面部９ｅを有している。端面部９ｅは、報知用スピーカー２５の放音面２５ｂよりも径の小さい円形の開口部９ｆが開口するように円形の枠状に形成されている。報知用スピーカー２５は、保持部９ｂの凹部に筐体内部側から挿入嵌合されるとともに、電極部２５ａ側を回路基板等により抑止されることにより、保持部９ｂに保持される。
【００２３】
図４に示すように、保持部９ｂの突出量は凹部９ｃの深さに比較して小さく、端面部９ｅと、蓋体１０との間には隙間が生じる。従って、保持部９ｂの周囲には、報知用スピーカー２５から出力され、開口部９ｆから放出された音を筐体外部へ導くための導音空間ＳＰが形成されている。
【００２４】
導音空間ＳＰは、開口部９ｆからの音を導く第１空間ＳＰａと、第１空間ＳＰａからの音を導く第２空間ＳＰｂとを有している。第１空間ＳＰａは、蓋体１０、端面部９ｅ及び凹部９ｃの背面中央側の壁部により規定されている。第２空間ＳＰｂは、蓋体１０、壁部９ｄ、凹部９ｃの底部９ｈ及び凹部９ｃの凹部１９側の壁部９ｇにより規定されている。第２空間ＳＰｂは第１空間ＳＰａに比較して、保持部９ｂの突出量だけ蓋体１０からの幅（深さ）が大きい。第１空間ＳＰａにおける蓋体１０と端面部９ｅとの距離Ｗは、例えば、報知用スピーカー２５の厚さの１／１０〜１／２であり、例えば、１ｍｍである。保持部９ｂの突出量Ｖは、例えば報知用スピーカー２５の厚さと同程度であり、例えば５ｍｍである。
【００２５】
第１空間ＳＰａには、蓋体１０に設けられた放音口１６が連通している。従って、第１空間ＳＰａにより導かれた音は放音口１６を介して筐体外部へ放出される。
【００２６】
第２空間ＳＰｂには、複数の放音口９ｋが連通している。放音口９ｋは、凹部９ｃの壁部９ｇに開口しており、例えば、連結部４の回転軸方向に沿って一列に配列されている。壁部９ｇは、凹部１９を形成する壁部でもあり、第２空間ＳＰｂにより導かれた音は放音口９ｋを介して凹部１９へ放出される。
【００２７】
なお、図５に示すように、凹部９ｃは、背面側ケース９中央側が保持部９ｂと同径の弧状に形成されており、背面中央側から凹部１９側へ広がるように形成されている。換言すれば、第２空間ＳＰｂは凹部１９側へ広がるように形成されている。また、放音口９ｋは、報知用スピーカー２５の直径と略同程度若しくはそれよりも広い範囲に亘って配列されている。従って、効率的に報知用スピーカー２５の音が放出される。
【００２８】
図６は、閉状態における、報知用スピーカー２５の放音経路を示す断面図である。図６では、送話筐体３を、背面を下にして机ＤＩに載置した状態を示している。送話筐体３の背面は略平面状に形成されており、机ＤＩの表面に当接している。従って、放音口１６は机ＤＩにより塞がれている。
【００２９】
凸部１８は、受話筐体２の送話筐体３に対向する面から送話筐体３側へ突出しており、その頂面１８ｃは、送話筐体３の背面を含む平面よりも内側にある。従って、頂面１８ｃと机ＤＩの表面との間には隙間Ｓがある。なお、送話筐体３の背面を含む平面は、送話筐体３の背面の平面状部分を含む仮想平面である。背面の平面状部分は、当該平面状部分により机上等に安定して載置可能な広さを有していればよい。図６においては、机ＤＩの表面は背面を含む平面と一致している。
【００３０】
また、上述のように、凸部１８の外周面１８ａと凹部１９の壁面１９ａとの間には空間Ｔがあり、壁面１９ａには放音口９ｋが開口している。従って、報知用スピーカー２５から出力された音は、矢印ｙ１で示すように、放音口９ｋ、凸部１８と凹部１９との間の空間Ｔ、頂面１８ｃと机ＤＩの表面との間の隙間Ｓを通過して外方へ伝わる。
【００３１】
図７は、開状態における、報知用スピーカー２５の放音経路を示す断面図である。凸部１８は、受話筐体２の端部よりも若干中央側の位置から突出するように形成されており、前記凸部１８と端面との間には平坦面２９を有している。そして、開状態においては、受話筐体２の平坦面２９と送話筐体３の蓋体１０の端部３０とが当接することにより受話筐体２の送話筐体３に対する回転を規制するようになっており、前記受話筐体２の平坦面２９と送話筐体３の蓋体１０の端部３０とでストッパ部３１を構成するようになっている。なお、平坦面２９は連結部４の回転軸方向において凹部１９に亘る長さを有している。
【００３２】
ストッパ部３１により、受話筐体２の回転が規制される。このとき、凸部１８と凹部１９との間の空間Ｔは、背面側がストッパ部３１により塞がれる。一方、当該空間Ｔは対向面側へ開口している。従って、報知用スピーカー２５から出力された音は、矢印ｙ２で示すように、放音口９ｋ、凸部１８と凹部１９との間の空間を通過して、筐体対向面側へ放出される。
【００３３】
なお、凸部１８は半円筒状に形成されていることから、凸部１８及び凹部１９との間の空間は、ラッパ状に拡径しており、効率的に外方へ音を出力することができる。
【００３４】
図８は、携帯電話機１の信号処理系の構成の一例を示すブロック図である。携帯電話機１は、ＣＰＵ３５、メモリ３６、通信処理部３７、アンテナ３８、音声処理部３９、報知用スピーカー２５、マイクロフォン４０、通話用のスピーカー４１、メイン表示部１１、サブ表示部１２、画像処理部４２、操作部１３を備えている。
【００３５】
ＣＰＵ３６及びメモリ３６は例えばＩＣにより構成され、操作部１３等の各種手段からの信号に基づいて所定の演算を行い、画像処理部４２等の各種手段の制御を実行する。通信処理部３７は、高周波回路を含んで構成され、電波を利用した無線通信を行うために、ＣＰＵ３５で処理された音声データ、画像データ等の各種データを変調して、アンテナ３８を介して送信する。また、通信処理部３７は、アンテナ３８を介して受信した信号を復調してＣＰＵ３５に出力する。音声処理部３９は、ＣＰＵ３５からの音声データを音声信号に変換してスピーカ２５、４１に出力し、又、マイクロフォン４０からの音声信号を音声データに変換してＣＰＵ３５に出力する。画像処理部４２は、ＣＰＵ３５からの映像データを映像信号に変換してメイン表示部１１、サブ表示部１２に出力する。
【００３６】
以上の第１の実施形態によれば、受話筐体２の凸部１８と、送話筐体３の凹部１９との間には空間Ｔを有すると共に、空間Ｔを形成する凹部１９壁面に、報知用スピーカー２５からの音を放音する放音口９ｋを形成してなり、回動を規制すると共に、空間Ｔの一方端を閉塞するストッパ部３１を具備することから、閉状態においては送話筐体３の背面側から放音でき、開状態においては受話筐体２及び送話筐体３の対向面側から放音することができる。従って、報知用スピーカー２５からの音を効率的に使用者に放出することができる。
【００３７】
送話筐体３内には報知用スピーカー２５からの音を放音口９ｋへ導くための導音空間ＳＰを有すると共に、報知用スピーカー２５の放音面２５ｂが背面側を向くように報知用スピーカー２５を送話筐体３内に配置してあることから、報知用スピーカー２５により出力した音を導音空間ＳＰを介して効率的に筐体外部へ放出しつつ、放音口９ｋから侵入した水分が直接的に放音面２５ｂに侵入することが抑制される。
【００３８】
送話筐体３の背面に導音空間ＳＰと連通する放音口１６を有することから、背面に向く放音面２５ｂからの音を直接的に筐体外部から放出することもでき、閉状態における放音の効率を向上させることができる。放音口９ｋ及び放音口１６の相対的な大きさを調整することにより、開状態における効率と閉状態における効率とのバランスを、使用者のニーズに合わせて適切に調整することができる。
【００３９】
（第２の実施形態）
図９は、本発明の第２の実施形態に係る携帯電話機１０１の外観斜視図であり、図９（ａ）は開状態を、図９（ｂ）は閉状態を示している。
【００４０】
携帯電話機１０１の基本的な構成は、第１の実施形態の携帯電話機１と略同様である。すなわち、携帯電話機１０１は、いわゆる折り畳み式の携帯電話機であり、連結部１０４において回動可能な受話筐体１０２及び送話筐体１０３を備え、受話筐体１０２は、対向面側ケース１０６及び背面側ケース１０７からなり、対向面に画像を表示する表示部１１１及び通話用のスピーカー１１２を有し、送話筐体１０３は、対向面側ケース１０８、背面側ケース１０９及び不図示の蓋体からなり、対向面に露出するキートップを含む操作部１１３、アンテナ、ＩＣチップや電子部品を実装した回路基板、バッテリー、通話用マイク１１４を有している。信号処理系の構成も第１の実施形態（図８）と略同様である。
【００４１】
ただし、携帯電話機１０１では、凸部１１８が送話筐体（第１筐体）１０３に設けられ、凹部１１９が受話筐体（第２筐体）１０２に設けられている。また、報知用スピーカー１２５（図１では不図示）は、受話筐体１０２に設けられている。
【００４２】
図９（ａ）に示すように、受話筐体１０２の対向面には、対向面側ケース１０６に挿通されるとともに背面側ケース１０７に螺合されて、対向面側ケース１０６と背面側ケース１０７とを固定するねじ１６０を隠すためのスクリューキャップ１５６が設けられている。スクリューキャップ１５６は、例えば、ゴム等の弾性部材により形成されている。スクリューキャップ１５６は、例えば、連結部１０４の回転軸方向に延びる長尺状に形成されており、その長さは、凹部１１９に亘る長さ以上、受話筐体１０２の幅に相当する長さ以下の間で設定されている。スクリューキャップ１５６は、携帯電話機１を閉状態としたときに、送話筐体１０３の対向面に当接するように、受話筐体１０２の対向面よりも突出するように形成されている（図１２参照）。なお、スクリューキャップ１５６は、送話筐体１０３に設けられていてもよいし、受話筐体１０２及び送話筐体１０３の双方に設けられていてもよい。
【００４３】
図１０は、連結部１０４の拡大図である。送話筐体１０３の凸部１１８側端面には、連結部１０４の回転軸方向に延びる突条部１３１を備え、突条部１３１は送話筐体１０３の幅に亘る長さを有している。突条部１３１は、断面三角形に形成されており、傾斜面１３１ａを有している。そして、受話筐体１０２が送話筐体１０３に対して１６０度程度開いたときに、受話筐体１０２の端部側に設けられた傾斜面１０２ａ（図１１も参照）が、送話筐体１０３の端部側に設けられた突条部１３１の傾斜面１３１ａに当接してそれ以上の回転が規制されるようになっている。このとき、受話筐体１０２の傾斜面１０２ａと、送話筐体１０３の傾斜面１３１ａとが面接触するようになっており、受話筐体１０２の傾斜面１０２ａと、送話筐体１０３の突条部１３１とでストッパ部１５０を構成するようになっている（図１３も参照）。
【００４４】
図１１は、受話筐体１０２の分解斜視図である。背面側ケース１０７の凹部１１９を形成する壁部１０７ｇには、複数の放音口１０７ｋが開口している。放音口１０７ｋは、例えば連結部１０４の回転軸方向に延びるように３列で配列されている。
【００４５】
対向面側ケース１０６側には表示部１１１が配置されている。表示部１１１は、例えば液晶ディスプレイにより構成され、その広さは対向面側ケース１０６の半分強であり、連結部１０４とは反対側の端部寄りに配置されている。
【００４６】
表示部１１１の背面側ケース１０７側には、フレキシブルプリント配線板（ＦＰＣ）１５１が配置されている。ＦＰＣ１５１は、例えば表示部１１１と同等の広さを有するとともに、連結部１０４側に延出する延出部１５１ａを有している。ＦＰＣ１５１は、表示部１１１と接続されるともに、表示部１１１を駆動するための画像処理部（図８の画像処理部４２参照）を構成するＩＣ等が設けられる。
【００４７】
受話筐体１０２内のうち連結部１０４側には、報知用スピーカー１２５が配置される。報知用スピーカー１２５は、例えば略円盤状に構成され、電極部１２５ａを対向面側ケース１０６側に、放音面１２５ｂを背面側ケース１０７側に向けて配置される。電極部１２５ａの対向位置には、ＦＰＣ１５１の延出部１５１ａが延びてきており、電極部１２５ａは延出部１５１ａに設けられた接点１５２に接続される。
【００４８】
報知用スピーカー１２５は、スピーカーホルダー１５４により受話筐体１０２へ取り付けられる。スピーカーホルダー１５４は、例えば内周部１５４ａ及び外周部１５４ｂを備えている。
【００４９】
内周部１５４ａは、報知用スピーカー１２５の厚さと同程度の厚さ（高さ）の円筒状に形成されており、対向面側ケース１０６側から報知用スピーカー１２５が嵌入される。内周部１５４ａの背面側ケース１０７側は、報知用スピーカー１２５の放音面１２５ｂよりも径の小さい開口部１５４ｃが形成されている。なお、報知用スピーカー１２５と内周部１５４ａとはネジや接着剤により互いに固定してもよい。
【００５０】
外周部１５４ｂは、内周部１５４ａの周囲を囲む板状に概ね形成されている。なお、厳密には、外周部１５４ｂは、内周部１５４ａの表示部１１１側の一部を構成している（図１２も参照）。外周部１５４ｂは内周部１５４ａよりも紙面上下方向において高く形成されており、外周部１５４ｂが対向面側ケース１０６及び背面側ケース１０７に挟まれることにより、スピーカーホルダー１５４は受話筐体１０２に対して固定される。
【００５１】
外周部１５４ｂは、連結部１０４側においては内周部１５４ａを囲んでおらず、連結部１０４側には空所１５４ｄが形成されている。空所１５４ｄは、例えば、報知用スピーカー１２５の円周の３割〜５割に亘って設けられている。外周部１５４ｂの連結部１０４側と反対側（内周部１５４ａの表示部１１１側も構成）には、対向面側ケース１０６側に切り欠き部１５４ｅが設けられている。切り欠き部１４５ｅは、例えば、報知用スピーカー１２５の円周の３割〜５割に亘って設けられている。
【００５２】
なお、スピーカーホルダー１５４の材質は、対向面側ケース１０６や背面側ケース１０７との密閉性を向上させるためにエストラマ等の柔軟な材質とすることが好ましい。あるいは、ＰＣ、ＡＢＳ等の樹脂により形成し、密閉箇所にスポンジ等の弾性部材を配置することが好ましい。
【００５３】
図１２は、閉状態における、報知用スピーカー１２５の放音経路を示す断面図である。図１２では、受話筐体１０２を送話筐体１０３の上にして机等（不図示）に載置した状態を示しており、紙面上方が天面側である。
【００５４】
凸部１１８は、送話筐体１０３から天面側へ突出している。また、第１の実施形態と同様に、凸部１１８の外周面１１８ａと凹部１１９の壁面１１９ａとの間には空間Ｔ２がある。そして、壁面１１９ａには放音口１０７ｋが開口している。従って、報知用スピーカー１２５から出力された音は、矢印ｙ１１で示すように、スピーカーホルダー１５４の開口部１５４ｃ及び空所１５４ｄ（図１１参照）、放音口１０７ｋ、凸部１１８と凹部１１９との間の空間Ｔ２を通過して外方（上方）へ伝わる。
【００５５】
この際、空間Ｔ２は、受話筐体１０２及び送話筐体１０３の対向面側がスクリューキャップ１５６により閉塞されており、受話筐体１０２及び送話筐体１０３の対向面間に音が逃げることが防止され、上方への音量が大きくなる。
【００５６】
また、報知用スピーカー１２５は、スピーカーホルダー１５４により受話筐体１０２の対向面との間に空間Ｂ１を形成するように保持されている。また、スピーカーホルダー１５４の表示部１１１側の空間Ｂ２は、切り欠き部１５４ｅにより空間Ｂ１と連通されている。従って、空間Ｂ１及び空間Ｂ２により、報知用スピーカー１２５のバックキャビティが十分に確保され、報知用スピーカー１２５の振動板の背面側の圧力変動が吸収されて音質が向上する。
【００５７】
図１３は、開状態における、報知用スピーカー１２５の放音経路を示す断面図である。上述のように、開状態では、送話筐体１０３の傾斜面１３１ａが受話筐体１０２の傾斜面１０２ａに係合することにより、受話筐体１０２の回転が規制される。このとき、凸部１１８と凹部１１９との間の空間Ｔ２は、背面側がストッパ部１３１により塞がれる。一方、空間Ｔ２は対向面側へ開口している。従って、報知用スピーカー１２５から出力された音は、矢印ｙ１２で示すように、スピーカーホルダー１５４の開口部１５４ｃ及び空所１５４ｄ（図１１参照）、放音口１０７ｋ、凸部１１８と凹部１１９との間の空間Ｔ２を通過して受話筐体１０２及び送話筐体１０３の対向面側へ伝わる。
【００５８】
なお、携帯電話機１において、受話筐体１０２の背面側の報知用スピーカー１２５に対向する位置（図１２の領域１５７）に、第２の放音口を設けてもよい。この場合、報知用スピーカー１２５の音を直接的に筐体外部へ放出することができ、また、第１の実施形態のように、机等により塞がれるおそれもない。
【００５９】
以上の第２の実施形態によれば、第１の実施形態と同様の効果が得られる。即ち、送話筐体１０３の凸部１１８と、受話筐体１０２の凹部１１９との間には空間Ｔ２を有すると共に、空間Ｔ２を形成する凹部１１９壁面に、報知用スピーカー１２５からの音を放音する放音口１０７ｋを形成してなり、回動を規制すると共に、空間Ｔ２の一方端を閉塞するストッパ部１３１を具備することから、閉状態においては送話筐体１０３の背面側から放音でき、開状態においては受話筐体１０２及び送話筐体１０３の対向面側から放音することができる。従って、報知用スピーカー１２５からの音を効率的に使用者に放出することができる。
【００６０】
さらに、第２の実施形態では、操作部１１３を有する送話筐体１０３に凸部１１８を設け、表示部１１１を有する受話筐体１０２に凹部１１９及び報知用スピーカー１２５を設けている。一般に、折り畳み式の携帯端末装置では、表示部を有する筐体が操作部を有する筐体の上になるように机等に載置される。このことは、閉状態及び開状態の双方についていえ、また、特にノートパソコンでは、操作部を有する筐体が表示部を有する筐体の下側になるのが極めて一般的である。従って、第１の実施形態では、図６に示したように、凸部１８の頂面１８ｃと机ＤＩとの間に隙間Ｓが生じるように、凸部１８の高さを送話筐体３の背面から突出しないように設定したが、第２の実施形態では、凸部１１８は天面側に向くから、凸部１１８の高さをどのように設定しても報知用スピーカー１２５の音を空間Ｔ２から外方へ放出でき、凸部１１８の設計の自由度が高い。
【００６１】
本発明は以上の実施形態に限定されず、種々の態様で実施してよい。
【００６２】
本発明の携帯端末装置は、第１筐体及び第２筐体が凹部及び凸部により開閉可能に連結され、スピーカーを有するものであればよい。スピーカーは、閉状態及び開状態において、音声を出力して何らかの情報をユーザに報知するものであればよい。従って、携帯端末装置は、携帯電話機に限定されず、例えばノートパソコンでもよいし、ＰＤＡでもよい。スピーカーは、電話やメールの着信を報知するものに限定されず、例えば時刻を知らせるものやバッテリー切れを報知するものであってもよい。換言すれば、携帯端末装置は通信機能を有していなくてもよい。
【００６３】
ストッパ部は、開状態において第１筐体と第２筐体とを互いに当接させて回動を規制するものであればよい。換言すれば、第１筐体と第２筐体とが係合して回動が規制されれば、当該係合した部分がストッパ部であるといえる。従って、ストッパ部は、筐体から明示的に突出する部分でなくてもよく、第１の実施形態のように、筐体の自然な形状を形成する一部分であってもよい。また、第１筐体及び第２筐体が互いに係合しているのであるから、ストッパ部は、第１筐体に設けられているとも、第２筐体に設けられているとも、双方に設けられているとも捉えることができる。例えば、図１３の受話筐体１０２の傾斜面１０２ａもストッパ部であると捉えることができる。
【００６４】
ストッパ部は、第１の実施形態のように線接触するものでもよいし、第２の実施形態のように面接触するものでもよい。ただし、面接触にすれば、連結部における凸部と凹部との間の空間の一方端を密に略閉塞することができる。また、密閉性を高めるために、ストッパ部をゴム等の弾性部材により構成してもよい。
【図面の簡単な説明】
【００６５】
【図１】本発明の第１の実施形態の携帯電話機を開状態で示す外観斜視図。
【図２】図１の携帯電話機を閉状態で示す外観斜視図。
【図３】図１の携帯電話機の連結部を一部破断して示す斜視図。
【図４】図１の携帯電話機の送話筐体の一部を示す断面図。
【図５】図１の携帯電話機の送話筐体の背面側カバーの斜視図。
【図６】図１の携帯電話機の報知用スピーカーの閉状態における放音経路を示す断面図。
【図７】図１の携帯電話機の報知用スピーカーの開状態における放音経路を示す断面図。
【図８】図１の携帯電話機の信号処理系の構成を示すブロック図。
【図９】本発明の第２の実施形態の携帯電話機を示す外観斜視図。
【図１０】図９の携帯電話機の連結部の拡大図。
【図１１】図９の携帯電話機の受話筐体の分解斜視図。
【図１２】図９の携帯電話機の報知用スピーカーの閉状態における放音経路を示す断面図。
【図１３】図９の携帯電話機の報知用スピーカーの開状態における放音経路を示す断面図。
【符号の説明】
【００６６】
１…携帯電話機（携帯端末装置）、２…受話筐体（第１筐体）、３…送話筐体（第２筐体）、１８…凸部、１９…凹部、２５…報知用スピーカー、９ｋ…第１の放音口、１５０…ストッパ部。
【図１】
0004515368.tif 000002
【図２】
0004515368.tif 000003
【図３】
0004515368.tif 000004
【図４】
0004515368.tif 000005
【図５】
0004515368.tif 000006
【図６】
0004515368.tif 000007
【図７】
0004515368.tif 000008
【図８】
0004515368.tif 000009
【図９】
0004515368.tif 000010
【図１０】
0004515368.tif 000011
【図１１】
0004515368.tif 000012
【図１２】
0004515368.tif 000013
【図１３】
0004515368.tif 000014